(57)【特許請求の範囲】
【請求項１】
既製コンクリート杭の杭頭部端板のねじ孔に補強鉄筋の下端の雄ねじを螺合させて杭頭部端板に補強鉄筋を立設する方法であって、
前記補強鉄筋の上端に前記雄ねじとは別の雄ねじを、その谷径を前記補強鉄筋の丸棒部分の直径よりも小さい寸法で形成しておき、
前記補強鉄筋の上端の雄ねじにナットを螺合し、
動力式締め付け具より前記ナットを回動することで杭頭部端板のねじ孔に補強鉄筋の下端の雄ねじを螺合させるようにした、
ことを特徴とする既製コンクリート杭の杭頭部端板への補強鉄筋の立設方法。
【請求項２】
前記動力式締め付け具より前記ナットを回動する前に、杭頭部端板のねじ孔に、補強鉄筋の立設状態が保持できる程度に補強鉄筋の下端の雄ねじが手作業により螺合されることを特徴とする請求項１記載の既製コンクリート杭の杭頭部端板への補強鉄筋の立設方法。
【発明の詳細な説明】
【０００１】
【発明の属する技術分野】
本発明は、既製コンクリート杭の杭頭部端板への補強鉄筋の立設方法に関する。
【０００２】
【従来の技術】
既製コンクリート杭を用いて構造物を構築する場合、地盤に打設された複数の既製コンクリート杭の杭頭部に、複数の補強鉄筋が立設され、また、杭頭部上において基礎用の鉄筋が配筋される。
そして、複数の既製コンクリート杭の杭頭部上にコンクリートが打設され、前記補強鉄筋および基礎用の鉄筋を介して複数の既製コンクリート杭に連結された基礎コンクリートが構築され、構造物はこの基礎コンクリートの上に構築されている。
【０００３】
このように既製コンクリート杭と基礎コンクリートとを連結するための補強鉄筋の杭頭部への立設作業は、次のように行われている。
すなわち、既製コンクリート杭の杭頭部端板に複数のねじ孔が設けられ、各補強鉄筋の下端には雄ねじが設けられ、補強鉄筋の雄ねじを杭頭部端板のねじ孔に螺合させることで補強鉄筋の立設がなされている。
したがって、補強鉄筋の雄ねじを杭頭部端板に立設するに際して、ねじ結合させる為棒状の補強鉄筋を手作業で回転させる必要があり、従来、補強鉄筋の立設は作業員による手作業によりなされていた。
【０００４】
【発明が解決しようとする課題】
そのため、従来、この種の補強鉄筋の立設作業は、作業員がかがみ込まなければならないため重労働となり、また、補強鉄筋の下端の雄ねじを杭頭部端板のねじ孔の全長にわたり締め付ける必要があるため１本の補強鉄筋の締め付けに時間も掛かり、作業効率を高めることができない不具合があった。
特に、構造物が大型化した場合には、用いる既製コンクリート杭の数が多くなると共に、各既製コンクリート杭の直径が大きくなることから各杭頭部端板に立設される補強鉄筋の数も多くなり、そのため、立設される補強鉄筋の数が飛躍的に増大し、補強鉄筋の立設作業のみに多くの人員と手間を要し、何らかの改善策の出現が望まれていた。
本発明は前記事情に鑑み案出されたものであって、本発明の目的は、楽な姿勢で簡単にしかも確実に補強鉄筋を杭頭部端板に立設できる既製コンクリート杭の杭頭部端板への補強鉄筋の立設方法を提供することにある。
【０００５】
【課題を解決するための手段】
前記目的を達成するため本発明は、既製コンクリート杭の杭頭部端板のねじ孔に補強鉄筋の下端の雄ねじを螺合させて杭頭部端板に補強鉄筋を立設する方法であって、前記補強鉄筋の上端に前記雄ねじとは別の雄ねじを、その谷径を前記補強鉄筋の丸棒部分の直径よりも小さい寸法で形成しておき、前記補強鉄筋の上端の雄ねじにナットを螺合し、動力式締め付け具より前記ナットを回動することで杭頭部端板のねじ孔に補強鉄筋の下端の雄ねじを螺合させるようにしたことを特徴とする。
【０００６】
本発明の既製コンクリート杭の杭頭部端板への補強鉄筋の立設方法によれば、補強鉄筋を杭頭部端板に立設するに際して行われる従来の手動による棒状の補強鉄筋の回動操作を、杭頭部端板の上方に位置するナットと動力式締め付け具で行なうことができるようになり、楽な姿勢で簡単にしかも確実に補強鉄筋を杭頭部端板に立設することが可能となる。
【０００７】
【発明の実施の形態】
以下、本発明に係る補強鉄筋の立設方法の実施の形態について図面を参照して説明する。
図１は既製コンクリート杭と補強鉄筋と基礎コンクリートとの関係図、図２は補強鉄筋の説明図、図３は補強鉄筋の立設時の説明図を示す。
図１に示すように、既製コンクリート杭１２を用いて構造物を構築する場合、地盤Ｇに打設された複数の各既製コンクリート杭１２の杭頭部１２Ａに、複数の補強鉄筋１４が立設され、また、杭頭部１２Ａ上において基礎用の鉄筋が配筋され、その後、各既製コンクリート杭１２の杭頭部１２Ａ上にコンクリートが打設され、補強鉄筋１４および基礎用の鉄筋を介して既製コンクリート杭１２に連結された基礎コンクリート１６が構築され、構造物はこの基礎コンクリート１６の上に構築されている。
【０００８】
前記既製コンクリート杭１２の杭頭部１２Ａには、鋼製で環板状の杭頭部端板２０が固着されている。
前記杭頭部端板２０には、図３に示すように、周方向に等間隔をおいて複数のねじ孔２２が形成されている。
【０００９】
本実施の形態で用いる補強鉄筋１４は異形鉄筋で、図２に示すように、その長手方向の両端に雄ねじ３２，３４が形成されている。
前記雄ねじ３２，３４のうち一方の雄ねじ３２は、前記杭頭部端板２０のねじ孔２２に螺合可能に設けられている。
前記雄ねじ３２，３４のうち他方の雄ねじ３４は、図１、図３に示すように、ナット３６に螺合可能に設けられ、また、ナット３６よりも僅かに大きな寸法の長さで形成されている。なお、ナット３６としては市販品が使用可能である。また、他方の雄ねじ３４は、ナット３６が締め付け固定されるように、その谷径が補強鉄筋１４の丸棒部分１４０２の直径よりも若干小さい寸法で形成されている。
なお、本実施の形態では、前記雄ねじ３２，３４は同形同大で、その長さは共に杭頭部端板２０の厚さよりも５ｍｍ程度長い寸法で形成されている。
【００１０】
次に、図３を参照して補強鉄筋１４の立設方法について説明する。
既製コンクリート杭１２の施工前に、既製コンクリート杭１２の杭頭部端板２０のねじ孔２２を、土砂やソイルセメントが目詰まりしないように、例えば、ガムテープやキャップなどの適切な材料を用いて養生する。
既製コンクリート杭１２を地盤Ｇに打設したならば、床付け（あるいは捨てコン）を行ない、その後、杭頭部端板２０を清掃し、ねじ孔２２からガムテープやキャップなどの養生材を撤去し、ねじ孔２２を清掃する。なお、土砂やソイルセメントなどが目詰まりしている場合には、ねじ山を傷めないようにワイヤーブラシおよびブロアを使用してこれらをきれいに除去する。
【００１１】
一方、各補強鉄筋１４の前記雄ねじ３４にはそれぞれナット３６を予め螺合しておく。これにより補強鉄筋１４の端部に、補強鉄筋１４と同軸上にナット３６が設けられることになる。
そして、補強鉄筋１４を、ナット３６を上方にして下端の前記雄ねじ３２を杭頭部端板２０の所定のねじ孔２２にねじ込む。本実施の形態では、このねじ込み作業は手動により行なっており、雄ねじ３２は、杭頭部端板２０に対して立設状態が維持できる程度に、例えば、杭頭部端板２０の板厚の半分程度ねじ込む。
【００１２】
次に、電動インパクトレンチなどのような電気式や空圧式の動力式締め付け具４０を用い、動力式締め付け具４０のナット係合部４０Ａをナット３６に係合し、鉛直精度に留意しながら、動力式締め付け具４０により、ねじ孔２２に立設状態が維持できる程度にねじ込まれた補強鉄筋１４を回転させ、補強鉄筋１４の雄ねじ３２をねじ孔２２に螺合する。この場合、無論、補強鉄筋１４の雄ねじ３２をねじ孔２２に締め付け固定してもよい。なお、用いる動力式締め付け具４０によっては、補強鉄筋１４の雄ねじ３２を杭頭部端板２０のねじ孔２２にねじ込む作業を手動で行なわず、最初から動力式締め付け具４０で行なうことも可能である。
そして、杭頭部端板２０の上面上に露出する雄ねじ部分３２Ａが約５ｍｍ以下であることを目視により確認し、すなわち、雄ねじ３２がねじ孔２２の全長にわたり螺合されたことを目視により確認し、ナット３６部分に対して手で水平方向に力を加え、ねじ孔２２と雄ねじ３２との結合状態に弛みがないことを確認して作業を終了する。
【００１３】
本実施の形態によれば、補強鉄筋１４の雄ねじ３２を杭頭部端板２０のねじ孔２２にねじ込む作業を、ナット３６および動力式締め付け具４０により行なうことが可能となり、ナット３６は杭頭部端板２０の上方に位置していることから、従来、棒状の補強鉄筋１４を、雄ねじ３２がねじ孔２２の全長にわたりねじ込まれるまで、かがみ込んで手動で回動操作するといった手間の掛かる重労働を著しく軽減でき、補強鉄筋１４の回動作業に要する作業時間を大幅に短縮し、楽な姿勢で簡単にしかも確実に補強鉄筋１４を杭頭部端板２０に立設することが可能となり、この種の作業の効率を格段と高めることが可能となる。
したがって、特に、構造物が大型化した場合には、用いる既製コンクリート杭１２の数が多くなると共に、各既製コンクリート杭１２の直径が大きくなることから各杭頭部端板２０に立設される補強鉄筋１４の数も多くなり、そのため、立設される補強鉄筋１４の数が飛躍的に増大することから、本発明をこのような大型化した構造物に適用すれば、その効果がより一層顕著となる。
【００１５】
【発明の効果】
以上の説明で明らかなように、本発明の既製コンクリート杭の杭頭部端板への補強鉄筋の立設方法によれば、従来の手動による棒状の補強鉄筋の回動操作を、動力式締め付け具を用いて行なうことができるようになり、楽な姿勢で簡単にしかも確実に補強鉄筋を杭頭部端板に立設することが可能となり、特に、補強鉄筋の数が多くなる大型化した構造物を構築する場合により有利となる。
【図面の簡単な説明】
【図１】既製コンクリート杭と補強鉄筋と基礎コンクリートとの関係図である。
【図２】補強鉄筋の説明図である。
【図３】補強鉄筋の立設時の説明図である。
【符号の説明】
１２  既製コンクリート杭
１４  補強鉄筋
１６  基礎コンクリート
２０  杭頭部端板
２２  ねじ孔
３２，３４  雄ねじ
３６  ナット
【図１】
0003838548.tif 000002
【図２】
0003838548.tif 000003
【図３】
0003838548.tif 000004